(57)【特許請求の範囲】
【請求項１】
表示領域と前記表示領域を囲う周辺領域とを有する表示パネルと、該表示パネルの表示画面側に配置されたフロントウィンドウとを有する表示装置において、
該フロントウィンドウの前記表示パネル側の面に配置され、且つ平面的に見て前記周辺領域と重畳する色印刷部分と、
該色印刷部分と離間して、且つ該色印刷部分の内側に配置された第１粘着膜と、
該色印刷部分及び該第１粘着膜よりも前記表示パネルの側に位置し、且つ平面的に見て該色印刷部分の少なくとも一部、及び該第１粘着膜の少なくとも一部と重畳する第２粘着膜とを有することを特徴とする表示装置。
【請求項２】
表示領域と前記表示領域を囲う周辺領域とを有する表示パネルと、該表示パネルの表示画面側に配置された保護カバーとを有する表示装置において、
該保護カバーの前記表示パネル側の面に配置され、且つ平面的に見て前記周辺領域と重畳する色印刷部分と、
該色印刷部分と離間して、且つ該色印刷部分の内側に配置された第１粘着膜と、
該色印刷部分及び該第１粘着膜よりも前記表示パネルの側に位置し、且つ平面的に見て該色印刷部分の少なくとも一部、及び該第１粘着膜の少なくとも一部と重畳する第２粘着膜とを有することを特徴とする表示装置。
【請求項３】
請求項１又は請求項２に記載の表示装置において、
前記色印刷部分の厚さが２０μｍ以上であることを特徴とする表示装置。
【請求項４】
請求項１から請求項３のいずれかに記載の表示装置において、
前記色印刷部分の厚さと前記第１粘着膜の厚さとは等しいことを特徴とする表示装置。
【請求項５】
請求項１から請求項４のいずれかに記載の表示装置において、
前記色印刷部分と前記第１粘着膜との離間部分は、平面的に見て前記第２粘着膜と重畳していることを特徴とする表示装置。
【請求項６】
請求項５に記載の表示装置において、
前記離間部分には、枠状に形成された枠印刷部分が配置され、
前記枠印刷部分は、前記色印刷部分と重なる第１の領域と、前記第1粘着膜と重なる第２の領域とを有することを特徴とする表示装置。
【請求項７】
請求項６に記載の表示装置において、
前記枠印刷部分の厚さは、前記色印刷部分の厚さよりも小さいことを特徴とする表示装置。
【請求項８】
請求項６又は請求項７に記載の表示装置において、
前記枠印刷部分の厚さは１０μｍ以下であることを特徴とする表示装置。
【請求項９】
請求項６から請求項８のいずれかに記載の表示装置において、
前記枠印刷部分は、黒色であることを特徴とする表示装置。
【請求項１０】
請求項１から請求項９のいずれかに記載の表示装置において、
前記色印刷部分は、黒色以外の色であることを特徴とする表示装置。
【請求項１１】
請求項１から請求項１０のいずれかに記載の表示装置において、
前記第２粘着膜の、前記色印刷部分及び前記第１粘着膜とは反対側の面には、タッチパネルが貼り付けられていることを特徴とする表示装置。
【請求項１２】
請求項１から請求項１０のいずれかに記載の表示装置において、
前記第２粘着膜の、前記色印刷部分及び前記第１粘着膜とは反対側の面には、偏光板が貼り付けられていることを特徴とする表示装置。
【請求項１３】
請求項１から請求項１２のいずれかに記載の表示装置において、
前記表示パネルは、液晶表示パネル又は有機エレクトロルミネッセンス表示パネルであることを特徴とする表示装置。
【発明の詳細な説明】
【技術分野】
【０００１】
本発明は表示装置に関し、特に、フロントウィンドウを有する表示装置に関する。
【背景技術】
【０００２】
携帯電話、携帯情報端末（ＰＤＡ）、デジタルカメラ、マルチメディアプレーヤーなど、多くの携帯型の情報機器の表示装置に液晶モジュール（液晶表示装置）、有機エレクトロルミネッセンス表示装置などの各種表示装置が利用されている。
【０００３】
近年では、特許文献１に示すように、これらの表示装置には、表示パネルを保護するため、フロントウィンドウとして透明の保護カバーを貼り付けたハイブリッド構造が一般的となっている。また、図１に示すようなタッチパネル（ＴＰ）を備えた多機能な表示装置も提供され、表示パネルの表面側にタッチパネルやフロントウィンドウを順次貼り合わせる構造が提案されている。
【０００４】
図１に示すタッチパネルは、静電容量方式のタッチパネルガラス１に配線用のフレキシブル・プリント回路１１が接続され、さらに必要に応じて、タッチパネルの動作を制御する電子部品１２を設け、フレキシブル・プリント回路の他端には、インターフェース端子部１３が形成されている。
【０００５】
他方、フロントウィンドウ（ＦＷ）については、図２に示すように、フロントウィンドウの裏面には、表示パネルの画像表示領域を除き、印刷部分２０が施されている。特に、液晶表示装置では、画像表示領域外からバックライト等の光が漏れないよう、当該印刷部分には黒色系の印刷が施されている。
【０００６】
しかしながら、フロントウィンドウの印刷部分は、直接、利用者に観察される部分でもあるため、近年では黒色系以外の色でカラフルに印刷することが求められている。黒色系以外の色印刷では、漏れ光を防止するためには、印刷を黒色系の場合よりも厚くすることが不可欠となる。
【０００７】
このようにフロントウィンドウに黒色系以外の色印刷部分を形成した場合には、図３及び４に示すように、フロントウィンドウ（ＦＷ）をタッチパネル（ＴＰ）又は表示パネルなどに貼り付ける際に、該色印刷部分２０の近傍であって、粘着膜３０とフロントウィンドウとの間（Ａ）や、粘着膜３０とタッチパネル（ＴＰ）などの間（Ｂ）には、気泡（粘着膜の欠損）が発生し易い。
【先行技術文献】
【特許文献】
【０００８】
【特許文献１】特願２００９−０８５４７３号（出願日：２００９年３月３１日）
【発明の概要】
【発明が解決しようとする課題】
【０００９】
本発明の解決しようとする課題は、上述した問題を解消し、フロントウィンドウに黒色系以外の印刷を施した場合でも、気泡の発生を抑え、フロントウィンドウと表示パネルなどとの接合を可能とした表示装置を提供することである。
【課題を解決するための手段】
【００１０】
本発明者らは、鋭意研究を重ねた結果、図５に示すように、フロントウィンドウに黒色系以外の色印刷部分２０を設ける際に、黒色系による枠印刷部分２１を設けることを考えた。これにより、印刷部分の厚みを薄い部分を形成し、この薄膜部分に粘着膜３０が掛るように配置することを考えた。これにより、粘着膜には気泡は発生しないが、フロントウィンドウ（ＦＷ）の周辺部分に、タッチパネル（ＴＰ）や表示パネルなどと接合していない領域が、広く発生する原因となる。このため、フロントウィンドウとタッチパネルなどとの間で、剥離が生じ易くなり、新たな問題を生じることが判明した。
【００１１】
本発明者らは、さらに工夫を重ね、以下に示すような特徴を有する表示装置を発明し、上述した課題の解決を図った。
（１）  表示領域と前記表示領域を囲う周辺領域とを有する表示パネルと、該表示パネルの表示画面側に配置されたフロントウィンドウとを有する表示装置において、該フロントウィンドウの前記表示パネル側の面に配置され、且つ平面的に見て前記周辺領域と重畳する色印刷部分と、該色印刷部分と離間して、且つ該色印刷部分の内側に配置された第１粘着膜と、該色印刷部分及び該第１粘着膜よりも前記表示パネルの側に位置し、且つ平面的に見て該色印刷部分の少なくとも一部、及び該第１粘着膜の少なくとも一部と重畳する第２粘着膜とを有することを特徴とする。
【００１２】
（２）  表示領域と前記表示領域を囲う周辺領域とを有する表示パネルと、該表示パネルの表示画面側に配置された保護カバーとを有する表示装置において、該保護カバーの前記表示パネル側の面に配置され、且つ平面的に見て前記周辺領域と重畳する色印刷部分と、該色印刷部分と離間して、且つ該色印刷部分の内側に配置された第１粘着膜と、該色印刷部分及び該第１粘着膜よりも前記表示パネルの側に位置し、且つ平面的に見て該色印刷部分の少なくとも一部、及び該第１粘着膜の少なくとも一部と重畳する第２粘着膜とを有することを特徴とする。
【００１３】
（３）  上記（１）又は（２）に記載の表示装置において、前記色印刷部分の厚さが２０μｍ以上であることを特徴とする。
【００１４】
（４）  上記（１）乃至（３）のいずれかに記載の表示装置において、前記色印刷部分の厚さと前記第１粘着膜の厚さとは等しいことを特徴とする。
【００１５】
（５）  上記（１）乃至（４）のいずれかに記載の表示装置において、前記色印刷部分と前記第１粘着膜との離間部分は、平面的に見て前記第２粘着膜と重畳していることを特徴とする。
【００１６】
（６）  上記（５）に記載の表示装置において、前記離間部分には、枠状に形成された枠印刷部分が配置され、前記枠印刷部分は、前記色印刷部分と重なる第１の領域と、前記第1粘着膜と重なる第２の領域とを有することを特徴とする。
【００１７】
（７）  上記（６）に記載の表示装置において、前記枠印刷部分の厚さは、前記色印刷部分の厚さよりも小さいことを特徴とする。
【００１８】
（８）  上記（６）又は（７）に記載の表示装置において、前記枠印刷部分の厚さは１０μｍ以下であることを特徴とする。
【００１９】
（９）  上記（６）乃至（８）のいずれかに記載の表示装置において、前記枠印刷部分は、黒色であることを特徴とする。
【００２０】
（１０）  上記（１）乃至（９）のいずれかに記載の表示装置において、前記色印刷部分は、黒色以外の色であることを特徴とする。
【００２１】
（１１）  上記（１）乃至（１０）のいずれかに記載の表示装置において、前記第２粘着膜の、前記色印刷部分及び前記第１粘着膜とは反対側の面には、タッチパネルが貼り付けられていることを特徴とする。
【００２２】
（１２）  上記（１）乃至（１０）のいずれかに記載の表示装置において、前記第２粘着膜の、前記色印刷部分及び前記第１粘着膜とは反対側の面には、偏光板が貼り付けられていることを特徴とする。
【００２３】
（１３）  上記（１）乃至（１２）のいずれかに記載の表示装置において、前記表示パネルは、液晶表示パネル又は有機エレクトロルミネッセンス表示パネルであることを特徴とする。
【発明の効果】
【００２４】
本発明のように、２つの粘着膜を利用することで、色印刷を施したフロントウィンドウであっても、気泡を発生させることなく、フロントウィンドウとタッチパネルなどを周囲部分まで接合できる表示装置を提供することが可能となる。また、薄い枠印刷部分を利用することで、色印刷部分と第１粘着膜との間に隙間が生じても、利用者には当該隙間が視認できず、表示装置の美観を損なうこともない。
【図面の簡単な説明】
【００２５】
【図１】タッチパネルの平面図である。
【図２】フロントウィンドウの平面図である。
【図３】フロントウィンドウとタッチパネルとを貼り合わせた場合の様子を示す平面図である。
【図４】図３の矢印Ｘ−Ｘ’における断面図である。
【図５】色印刷部分の内側に枠印刷部分を配置した例を示す断面図である。
【図６】本発明の表示装置を示す断面図である。
【図７】本発明の表示装置の組み立て方を説明する図である。
【図８】本発明の表示装置の他の組み立て方を説明する図である。
【発明を実施するための形態】
【００２６】
本発明に係る表示装置について、以下に詳細に説明する。図６は、本発明の表示装置の断面図を示す図である。
本発明の表示装置の特徴は、表示パネル（不図示）と該表示パネルの表側に配置されたフロントウィンドウ（ＦＷ）とを有する表示装置において、該フロントウィンドウの裏面に印刷され、該表示パネルの表示領域の周囲に形成された厚みが２０μｍ以上の色印刷部分２０と、該色印刷部分に重ならないように、該色印刷部分の内側に配置され、該色印刷部分とほぼ同じ厚みを有する第１粘着膜３１と、該色印刷部分２０及び該第１粘着膜３１を覆うように配置される第２粘着膜３２とを有することを特徴とする。
【００２７】
第２粘着膜３２の厚みに関しては、特に制約はないが、図６に示したように、第１粘着膜３１よりも大きいサイズであり、貼り付けられるタッチパネル（ＴＰ）（タッチパネルガラス）よりは、小さいサイズであることが好ましい。
【００２８】
また、色印刷部分２０と第１粘着膜３１との間には、可能な限り隙間を形成しないことが好ましい。このような隙間では、光が屈折し、表示画面の周囲への光漏れなどの不具合の原因となる。このような不具合を解消する方法として、図６に示すように枠印刷部分２１を形成することも可能である。
【００２９】
枠印刷部分２１は、色印刷部分２０に接触し、該色印刷部分の内側に形成されている。色は、黒色系が好ましく、当該枠印刷部分の厚みは、１０μｍ以下とすることが必要である。また、枠印刷部分に重なるように第１粘着膜が配置されるため、枠印刷部分を厚くすると、色印刷部分と同様に、気泡が発生する原因となる。
【００３０】
フロントウィンドウ（ＦＷ）とタッチパネル（ＴＰ）などとの貼り付けは、図７又は図８のような組み立て手順を採用することができる。図７は、フロントウィンドウ側に、予め２つの粘着膜を貼り付けておき、最後にタッチパネル（ＴＰ）と接合させる方法である。図８は、フロントウィンドウ側に第1粘着膜３１を、タッチパネル側に第２粘着膜３２を、各々貼り付け、最後に両者を貼り合わせる方法である。基本的には、いずれの方法も採用可能であるが、組立の途中で失敗した場合のやり直しを考慮すると、タッチパネルの価格がフロントウィンドウよりも高いため、図７のように最終段階でタッチパネルを貼り付ける方が、製造コストの増加を抑制することが可能である。
【００３１】
フロントウィンドウに貼り付けるものとして、タッチパネルを例に説明したが、本発明の表示装置は、これに限らず、液晶表示装置や有機エレクトロルミネッセンス表示装置に利用される偏光板であっても良い。
【産業上の利用可能性】
【００３２】
以上のように、本発明によれば、フロントウィンドウに黒色系以外の印刷を施した場合でも、気泡の発生を抑え、フロントウィンドウと表示パネルなどとの接合を可能とした表示装置を提供することが可能となる。
【符号の説明】
【００３３】
２０  色印刷部分
２１  枠印刷部分
３１  第１粘着膜
３２  第２粘着膜
ＦＷ  フロントウィンドウ
ＴＰ  タッチパネル
【図１】
0005535739.tif 000002
【図２】
0005535739.tif 000003
【図３】
0005535739.tif 000004
【図４】
0005535739.tif 000005
【図５】
0005535739.tif 000006
【図６】
0005535739.tif 000007
【図７】
0005535739.tif 000008
【図８】
0005535739.tif 000009